【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
(a) 第１面と第２面を有する耐水性で水蒸気透過性の可撓性基材、
(b) 基材の前記第１面に固定された布帛、
(c) 基材の前記第２面の表面上に不連続なライニング形成パターンを形成する複数の分離した磨耗抵抗性ポリマーのドットであって、可撓性基材の磨耗に抵抗するドット、
を含んでなる、衣類に用いられる複合材料。
【請求項２】
ドットが実質的に滑らかで角のない外形を有する請求項１に記載の複合材料。
【請求項３】
各ドットが、基材の面内に実質的に円形の横断面と、基材に垂直な面内に実質的に部分球の横断面を有する請求項２に記載の複合材料。
【請求項４】
基材の面内の横断面の最大寸法が５０００μｍ未満である請求項１〜３のいずれか１項に記載の複合材料。
【請求項５】
前記最大寸法が１００〜１０００μｍである請求項４に記載の複合材料。
【請求項６】
前記最大寸法が２００〜８００μｍである請求項５に記載の複合材料。
【請求項７】
前記最大寸法が４００〜６００μｍである請求項６に記載の複合材料。
【請求項８】
各ドットが１０〜２００μｍの高さを有する請求項１〜７のいずれか１項に記載の複合材料。
【請求項９】
各ドットが７０〜１４０μｍの高さを有する請求項８に記載の複合材料。
【請求項１０】
各ドットが８０〜１００μｍの高さを有する請求項９に記載の複合材料。
【請求項１１】
各ドットの中心が隣接ドットの中心から２００〜２０００μｍの間隔にある請求項１〜１０のいずれか１項に記載の複合材料。
【請求項１２】
各ドットの中心が隣接ドットの中心から３００〜１５００μｍの間隔にある請求項１１に記載の複合材料。
【請求項１３】
各ドットの中心が隣接ドットの中心から４００〜９００μｍの間隔にある請求項１２に記載の複合材料。
【請求項１４】
隣接ドットの中心間距離、各ドットの最大寸法、及び各ドットの高さの比が約７．５：５：１〜約１５：１０：１の範囲にある請求項１〜１３のいずれか１項に記載の複合材料。
【請求項１５】
ドットによる基材表面の被覆割合が２０〜８０％である請求項１〜１４のいずれか１項に記載の複合材料。
【請求項１６】
ドットによる基材表面の被覆割合が３０〜７０％である請求項１５に記載の複合材料。
【請求項１７】
ドットによる基材表面の被覆割合が４０〜６０％である請求項１６に記載の複合材料。
【請求項１８】
基材が多孔質膜である請求項１〜１７のいずれか１項に記載の複合材料。
【請求項１９】
多孔質膜が延伸膨張ポリテトラフルオロエチレンである請求項１８に記載の複合材料。
【請求項２０】
基材が、多孔質膜と、水蒸気透過性の親水性ポリマーのコーティングを含んでなり、そのコーティングにドットが固定された請求項１８又は１９に記載の複合材料。
【請求項２１】
親水性ポリマーがポリウレタン又はポリエステルである請求項２０に記載の複合材料。
【請求項２２】
前記ドットが、約８００ｐｓｉ（５．５Ｎ／ｍｍ2）を上回る弾性率を有する磨耗抵抗性ポリウレタンから形成された請求項１〜２１のいずれか１項に記載の複合材料。
【請求項２３】
ドットを形成するポリウレタンが水蒸気透過性である請求項２１に記載の複合材料。
【請求項２４】
０．１ｋｇ／ｃｍ2を上回る耐水性を有する請求項１〜２３のいずれか１項に記載の複合材料。
【請求項２５】
１５００ｇ／ｍ2／日を上回る水蒸気透過性を有する請求項１〜２４のいずれか１項に記載の複合材料。
【請求項２６】
ドットが複数のロゼットの形態で施された請求項１〜２５のいずれか１項に記載の複合材料。
【請求項２７】
複合材料の耐磨耗性が、可撓性基材そのものの耐磨耗性の少なくとも１．５倍である請求項１〜２６のいずれか１項に記載の複合材料。
【請求項２８】
請求項１〜２７のいずれか１項に記載の複合材料を含んでなる衣類。
【請求項２９】
磨耗抵抗性ポリマーのドットが、衣類の最も内側の構成部分を形成してライニングを成した請求項２８に記載の衣類。
【請求項３０】
可撓性で耐水性であって水蒸気透過性の基材の第１面に布帛を固定し、
可撓性基材の磨耗に抵抗するように、前記基材の第２面の表面上に不連続なライニング形成パターンを形成するため、前記基材の第２面に複数の磨耗抵抗性ポリマーのドットを施す、
各工程を含む、衣類に用いられる複合材料を製造する方法。
【請求項３１】
ポリマーのドットをグラビア印刷によって施すことを含む請求項３０に記載の方法。
【請求項３２】
ドットが実質的に滑らかで角のない外形を有する請求項３０又は３１に記載の方法。
【請求項３３】
各ドットが、基材の面内に実質的に円形の横断面と、基材に垂直な面内に実質的に部分球の横断面を有する請求項３２に記載の方法。
【請求項３４】
各ドットの基材の面内の横断面の最大寸法が５０００μｍ未満である請求項３０〜３３のいずれか１項に記載の方法。
【請求項３５】
各ドットの横断面の最大寸法が１００〜１０００μｍである請求項３４に記載の方法。
【請求項３６】
各ドットの横断面の最大寸法が２００〜８００μｍである請求項３５に記載の方法。
【請求項３７】
各ドットの横断面の最大寸法が４００〜６００μｍである請求項３６に記載の方法。
【請求項３８】
各ドットが１０〜２００μｍの高さを有する請求項３０〜３７のいずれか１項に記載の方法。
【請求項３９】
各ドットが７０〜１４０μｍの高さを有する請求項３８に記載の方法。
【請求項４０】
各ドットが８０〜１００μｍの高さを有する請求項３９に記載の方法。
【請求項４１】
各ドットの中心が隣接ドットの中心から２００〜２０００μｍの間隔にある請求項３０〜４０のいずれか１項に記載の方法。
【請求項４２】
各ドットの中心が隣接ドットの中心から３００〜１５００μｍの間隔にある請求項４１に記載の方法。
【請求項４３】
各ドットの中心が隣接ドットの中心から４００〜９００μｍの間隔にある請求項４２に記載の方法。
【請求項４４】
隣接ドットの中心間距離、各ドットの最大寸法、及び各ドットの高さの比が約７．５：５：１〜約１５：１０：１の範囲にある請求項３０〜４３のいずれか１項に記載の方法。
【請求項４５】
ドットによる基材表面の被覆割合が２０〜８０％である請求項３０〜４４のいずれか１項に記載の方法。
【請求項４６】
ドットによる基材表面の被覆割合が３０〜７０％である請求項４５に記載の方法。
【請求項４７】
ドットによる基材表面の被覆割合が４０〜６０％である請求項４６に記載の方法。
【請求項４８】
基材が多孔質膜である請求項３０〜４７のいずれか１項に記載の方法。
【請求項４９】
多孔質膜が延伸膨張ポリテトラフルオロエチレンである請求項４８に記載の方法。
【請求項５０】
基材が、多孔質膜と、水蒸気透過性の親水性ポリマーのコーティングを含んでなり、そのコーティングにドットが固定される請求項４８又は４９に記載の方法。
【請求項５１】
親水性ポリマーがポリウレタン又はポリエステルである請求項５０に記載の方法。
【請求項５２】
前記ドットが、８００ｐｓｉ（５．５Ｎ／ｍｍ2）を上回る弾性率を有する磨耗抵抗性ポリウレタンから形成される請求項３０〜５１のいずれか１項に記載の方法。
【請求項５３】
ドットを形成するポリウレタンが水蒸気透過性である請求項５１に記載の方法。
【請求項５４】
複合材料が０．１ｋｇ／ｃｍ2を上回る耐水性を有する請求項３０〜５３のいずれか１項に記載の方法。
【請求項５５】
複合材料が１５００ｇ／ｍ2／日を上回る水蒸気透過性を有する請求項３０〜５４のいずれか１項に記載の方法。
【請求項５６】
ドットが複数のロゼットの形態で施される請求項３０〜５５のいずれか１項に記載の方法。
【請求項５７】
複合材料の耐磨耗性が、可撓性基材そのものの耐磨耗性の少なくとも１．５倍である請求項３０〜５６のいずれか１項に記載の方法。